【事件の表示】
　特許第２９３９８６０号「投影型液晶表示装置」の請求項１、２に係る特許に対する特許異議の申立てについて、次のとおり決定する。
【結　論】
　訂正を認める。
　特許第２９３９８６０号の請求項１ないし２に係る特許を維持する。
【理　由】
（１）手続きの経緯
　本件特許第２９３９８６０号発明は、昭和６３年１月に実用新案登録出願された実願昭６３−７０６９号が平成４年１月２５日に特許出願に変更された特願平４−１０２３２の一部を平成７年１月２４日に新たに出願され、平成１１年６月１８日にその発明の特許がなされ、その後、セイコーエプソン　株式会社より特許異議の申立てがなされ、取消理由通知がなされ、その指定期間内である平成１２年７月１７日に訂正請求（後日、取り下げ）がなされ、取消理由通知がなされ、その指定期間内である平成１２年９月２７日に訂正請求がなされたものである。
（２）訂正の適否についての判断
（ｉ）特許請求の範囲の訂正
ア.訂正明細書の請求項１に係る発明
　訂正明細書の請求項１に係る発明は、その特許請求の範囲の請求項１に特定された次のとおりのものである。
　「【請求項１】３枚の液晶パネルと、１つの光源と、前記光源からの光を赤、緑、青の光に分離してその赤色光を第１の液晶パネルに、緑色光を第２の液晶パネルに、青色光を第３の液晶パネルにそれぞれ入射させる光入射系と、投影レンズとを備え、前記各液晶パネルを出射した赤、緑、青の光を前記投影レンズにより拡大投影してスクリーンに投影してカラー画像を表示する投影型液晶表示装置において、前記光入射系を、前記光源と前記３枚の液晶パネルと間の光路をそれぞれ複数のミラーを利用して、前記赤、緑、青の光をそれぞれ同一方向の偏光成分が強い光として前記各液晶パネルに入射させる構成とするとともに、前記各液晶パネルの光入射面側にそれぞれ前記赤、緑、青の光の光成分が強い方向に透過軸を合わせた入射側偏光板を配置し、前記各液晶パネルの光出射面側にそれぞれ前記各液晶パネルを出射した光を画像光にするための画像形成用偏光板を配置し、さらに前記３枚の液晶パネルを同一画素配列でかつ同一の配光方向の液晶パネルとして、かつ、前記３枚の液晶パネルに入射される光の偏光方向をＳ偏光成分の強い光とし、前記スクリーンは、レンチキュラーレンズを備えるとともに、前記３枚の液晶パネルから入射される光が、前記レンチキュラーレンズの各レンズ部の幅方向に振動する光となるように配置したことを特徴とする投影型液晶表示装置。」
イ.訂正明細書の請求項２に係る発明
　訂正明細書の請求項２に係る発明は、その特許請求の範囲の請求項２に特定された次のとおりのものである。
　「【請求項２】３枚の液晶パネルと、１つの光源と、前記光源からの光を赤、緑、青の光に分離してその赤色光を第１の液晶パネルに、緑色光を第２の液晶パネルに、青色光を第３の液晶パネルにそれぞれ入射させる光入射系と、投影レンズとを備え、前記各液晶パネルを出射した赤、緑、青の光を前記投影レンズにより拡大投影してスクリーンに投影してカラー画像を表示する投影型液晶表示装置において、前記光入射系を、前記光源と前記３枚の液晶パネルと間の光路をそれぞれ複数のミラーを利用して、前記赤、緑、青の光をそれぞれ同一方向の偏光成分が強い光として前記各液晶パネルに入射させる構成とするとともに、前記各液晶パネルの光入射面側にそれぞれ前記赤、緑、青の光の光成分が強い方向に透過軸を合わせた入射側偏光板を配置し、さらに前記３枚の液晶パネルを同一画素配列でかつ同一の配光方向の液晶パネルとして、かつ、前記３枚の液晶パネルに入射される光の偏光方向をＳ偏光成分の強い光とし、前記各液晶パネルの光出射面側にそれぞれ前記各液晶パネルを出射した光を画像光にするための画像形成用偏光板を、前記各液晶パネルを出射した赤、緑、青の光のすべてが入射するように配置し、前記スクリーンは、レンチキュラーレンズを備えるとともに、前記画像形成用偏光板から入射される光が、前記レンチキュラーレンズの各レンズ部の幅方向に振動する光となるように配置したことを特徴とする投影型液晶表示装置。」
（ｉｉ）発明の詳細な説明の訂正
ア.明細書の段落【００１３】を「【課題を解決するための手段】
本発明は、上記目的を達成するために、３枚の液晶パネルと、１つの光源と、前記光源からの光を赤、緑、青の光に分離してその赤色光を第１の液晶パネルに、緑色光を第２の液晶パネルに、青色光を第３の液晶パネルにそれぞれ入射させる光入射系と、投影レンズとを備え、前記各液晶パネルを出射した赤、緑、青の光を前記投影レンズにより拡大投影してスクリーンに投影してカラー画像を表示する投影型液晶表示装置において、前記光入射系を、前記光源と前記３枚の液晶パネルと間の光路をそれぞれ複数のミラーを利用して、前記赤、緑、青の光をそれぞれ同一方向の偏光成分が強い光として前記各液晶パネルに入射させる構成とするとともに、前記各液晶パネルの光入射面側にそれぞれ前記赤、緑、青の光の光成分が強い方向に透過軸を合わせた入射側偏光板を配置し、さらに前記３枚の液晶パネルを同一画素配列でかつ同一の配光方向の液晶パネルとして、かつ、前記３枚の液晶パネルに入射される光の偏光方向をＳ偏光成分の強い光とし、前記スクリーンは、レンチキュラーレンズを備えるとともに、前記３枚の液晶パネルから入射される光が、前記レンチキュラーレンズの各レンズ部の幅方向に振動する光となるように配置したことを特徴とするものである。」と訂正する。
イ.明細書段落【００１５】を「【作用】
本発明においては、光源からの光を赤、緑、青の光に分離して３枚の液晶パネルに入射させる光入射系を、前記赤、緑、青の光をそれぞれ同一方向の偏光成分が強い光として各液晶パネルに入射させる構成としているため、各液晶パネルを出射し、画像形成用偏光板により画像光とされる赤、緑、青の光はいずれも同じ偏光状態の光であり、したがってスクリーンの各部に対する光の入射角が異なっても、前記赤、緑、青の光がほぼ同じ強度の光として観察され、また、スクリーンに入射するフルカラー画像光はその赤、緑、青の光ＲＧＢが全て同一方向の振動光（Ｓ偏光成分の光）であるために、この赤、緑、青の光ＲＧＢが全てレンチキュラーレンズでの表面反射をほとんど生じることなくスクリーン表面側に透過するから、スクリーンに表示されるカラー画像が、赤、緑、青の光の強さがバランスした品質のよい画像となる。」と訂正する。
（ｉｉｉ）訂正の目的の適否及び拡張・変更の存否等
　上記訂正（ｉ）は、特許請求の範囲の減縮に該当し、願書に添付した明細書又は図面に記載された事項の範囲内のものであり、実質的に特許請求の範囲を拡張又は変更するものではなく、新規事項の追加もない。また、上記訂正（ｉｉ）は、特許請求の範囲の訂正に付随する訂正であるから、発明の詳細な説明の欄中の明瞭でない記載の釈明を目的とするものであり、願書に添付した明細書又は図面に記載された事項の範囲内のものであり、新規事項の追加もない。
（ｉｖ）むすび
　以上のとおりであるから、上記訂正請求は、特許法等の一部を改正する法律（平成６年法律第１１６号）附則第６条第１項の規定によりなお従前の例によるとされる、特許法第１２０条の４第２項及び第３項で準用する第１２６条第２−４項の規定に適合するので、当該訂正を認める。
（３）特許異議の申立てについての判断
ア.申立ての理由の概要
　申立人セイコーエプソン　株式会社は、証拠として甲第１号証（特開昭６３−１０６７８５号公報）を提出し、訂正前の請求項１、２に係る発明は、特許法第２９条の２の規定に違反してなされたものであるから、特許を取り消すべき旨主張し、また、証拠として甲第２号証（特開昭６３−４２１７号公報）をさらに提出し、訂正前の請求項１、２に係る発明は、甲第２号証により特許法第２９条第２項の規定に違反してなされたものであるから、特許を取り消すべき旨主張している。
イ.判断
［引用刊行物に記載された発明］
訂正前明細書の請求項１に対して、当審が通知した取消理由で引用した甲第１号証（特願昭６２−２０７４２２号＜特開昭６３−１０６７８５号公報＞）には、「本発明は高い効率および良好な演色性で動作する表示装置用の光学装置に関するものである。特に、可同調複屈折光バルブ（ＴＢＬＶ）等を含む液晶ディスプレイ（ＬＣＤ）のようなタイプの透過形光バルブ表示装置を例えば投射形ビデオおよびテレビジョンシステムに使用して表示を著しく改善する技術に関するものである。」（第３頁右上欄第１８行〜左下欄第４行）、「本発明は、光学系を各光バルブが光源から同一の距離になると共に各光バルブが投写レンズ系まで同一の距離になるように構成することにより、特に投写形ビデオおよびテレビジョン装置に有用な表示装置の著しい改善を提供するにある。本発明の光学系によれば投写形ＴＶ装置のカラー効率および演色性が著しく改善される。」（第４頁左上欄第８〜１４頁）、「本発明による表示装置を第２図に示す。この第２図においては、照明サブシステム２０と、変調サブシステム３０と、投写サブシステム４０とが組合さって光バルブ投写表示装置を形成している。照明サブシステムは光源を構成するランプ２１と、この光源の光をコールドミラー２３に入射させるコンデンサレンズ系２２とを具え、このコールドミラー２３は可視光を反射し赤外線を透過するものであり、反射した光を照明サブシステム中のサブステージコンデンサ２４に通す。ランプ２１から生じる光は透写する光量を増大させる為に反射器２５から反射せしめることができる。投写サブシステム４０は投写レンズ系４１を有する。このようなレンズ系には後に説明するように光を投写しうる複数組のレンズを設けることができきる。変調サブシステム３０は照明サブシステム２０のサブステージコンデンサ２４から光を受ける。この光は緑および青反射用のダイクロイックフィルタ３１に入射され、このフィルタが緑および青の光を他の緑反射用のダイクロイックフィルタ３２に向けて反射するとともに赤の光を透過して前面ミラー３３に向ける。この前面ミラー３３により反射された光は照明側視野レンズ３４、赤チャネル液晶ディスプレイ３５、投写側視野レンズ３６および緑反射用のダイクロイックフィルタ３７を通って、赤および緑反射用のダイクロイックフィルタ３８に至り、このダイクロイックフィルタ３８で投写サブシステム４０に向けて反射される。フィルタ３１から反射された青および緑の光は緑反射用のダイクロイックフィルタ３２に至る。緑の光はこのフィルタ３２で反射され、照明側視野レンズ３４’、緑チャネル液晶ディスプレイ３５’および投写側視野レンズ３６’を通ってフィルタ３７で反射される。光の緑成分は光の赤成分と一緒に赤および緑反射用のダイクロイックフィルタ３８に至る。フィルタ３２を通過する青の光は照明側の視野レンズ３４”、青チャネル液晶ディスプレイ３５”および投写側視野レンズ３６”を経て前面ミラー３９に向けられる。この前面ミラー３９で反射された光の青成分は赤および緑反射フィルタ３８を通り投写サブシステム４０に至る。従って実際に３つの成分（赤、緑および青）のすべての光が投写サブシステム４０により投写スクリーンに投写される。従って、白色光は色分解フィルタ３１および３２により３つのカラーチャネル（赤、緑および青）に分解される。各チャネル中にはアドレスしうる光バルブ、例えば液晶ディスプレイ３５、３５’および３５”が配置され、これにより３色の光ビームを電気的なテレビジョン信号で変調する。カラーフィルタ３７および３８は３つのカラーチャネルを１つのビームに合成し、このビームを投写スクリーンに投写する。投写レンズサブシステム４０は３つの液晶ディスプレイにより形成される像を拡大して投写スクリーン上に投写する。このような光学系の構成はフロントプロジェクションシステムおよびリアプロジェクションシステムのいずれにとっても適している。」（第５頁左上欄第１２行〜右下欄第９行）、「本発明による投写表示装置の重要な点は、照明サブシステム２０における光源２１から生じる光が光バルブの各々に対し等しい光路長を有し、光バルブから投写サブシステム４０までの光路長も互いに等しいということである。」（第５頁右下欄第１６〜２０行）、及び「表示装置の他の構成では、種々の素子の反射角を、ミラー３３および３９の入射光に対する反射光の角度が９０°とならないように設計する。すなわち、第５図に示すような配置にしてダイクロイックフィルタ３１”、３２”、３７”および３８”の後面からの不所望な反射を最小にする。この表示装置は、入射角および反射角がブルースター角となるように構成されている。ブルースター角では、Ｓ偏光は反射損失を受けない。この表示装置は平行四辺形に傾斜構造となっており、照明サブシステム２０がブルースター角でダイクロイックフィルタ３１”に光を与える。種々のダイクロイックフィルタおよびミラー３３”および３９”からの反射もブルースター角となる。光バルブすなわち液晶ディスプレイ３５、３５’および３５”は光の進行方向に対し垂直に配置する。ＴＢＬＶを用いた変調サブシステムのこれらの種々の変形例では代表的に、光バルブの両側にそれぞれ偏光子および検光子として偏光板を直接被着することができる。例えば第２２〜２４図に示すような、直線偏光をもたらす照明機構を用いる場合には、液晶ディスプレイの照明側における偏光子を省略しうる。また、各液晶ディスプレイの反対側における第２の偏光子、すなわち検光子は、光ビームを再合成するダイクロイックフィルタ３８或いは３８’後に配置した１つの偏光子と置き換えることもできる。このような１つの偏光子を３つの液晶ディスプレイの各々の前の偏光子と一緒に用いることもできる。偏光板を何等かの理由で交換する場合には、光の偏光状態を適切なモードに維持するように注意する必要がある。」（第６頁右下欄第１６行〜第７頁右上欄第６行）との記載がある。
　同じく引用した甲第２号証（特開昭６３−４２１７号公報）には、「また、薄膜トランジスタをマトリクス状に集積した液晶パネルを三枚もちいてカラー表示をおこなうことにより、コントラスト比の良好な投写映像を得られるようにしたものである。さらには、三枚の液晶パネルの映像を合成してから投写レンズによりスクリーンに投写することにより、映像の周辺部まで色ズレのないきれいな映像を得られるようにしたものである。」（第１頁右欄第７〜１４行）、「そこで本発明はこのような問題点を解決するもので、その目的とするところは大きな熱量を発生する光源をもちいても、光学系や液晶パネルにおける温度上昇を最少限に緩和して、高輝度の明るい映像を表示できる投写型カラー表示装置を提供するところにある。」（第２頁左上欄第９〜１４行）、「本発明の投写型カラー表示装置は、薄膜トランジスタをマトリクス状に集積した液晶パネルを三枚もちいて映像を表示し、光源よりＳ偏光成分の光を得る手段と、白色光を光の三原色に分解する手段と、反射ミラーにより照明系を構成し、三枚の液晶パネルの映像を合成する手段と、一本の投写レンズにより構成されたことを特徴とする。
〔実施例〕
以下、本発明による一実施例を図面を参照して説明する。第１図は投写型カラー表示装置の外観図で、キャビネット１０にはビデオ機器との接続をおこなう接続端子や、音量や画質を調整するボリューム等をまとめた操作部１１と、後述する光源を空冷するための空気を吸入する吸気口１２および投写レンズ２０を備えている。第２図は投写型カラー表示装置の上面断面図、第３図は投写型カラー表示装置の側面断面図であり、投写型カラー表示装置の内部構成を説明するものである。光源ケース２１の中にはハロゲンランプによる光源２２と光源の後方に向かう光線を前方に反射する反射鏡２３および光源２２よりの光線を効率よく集光する集光レンズ２４、光線中の熱成分を吸収する吸熱フィルター２５、耐候性の良好な高耐候性偏光板２６が収納されている。集光レンズ２４は焦点距離の短かいものを用いて光源２２と集光レンズ２４の外周とでなす立体角を大きくして集光効率を上げている。また集光レンズ２４の焦点に光源２２を置くことにより集光された光は平行光線２９となる。吸熱フィルター２５は光線に含まれる熱線を吸収するものであり、耐候性偏光板２６は光線のＰ偏光成分の光を吸収して、Ｓ偏光成分の光を透過するものである。したがって耐候性偏光板２６を透過した光はＳ偏光成分の平行光線２９となる。シロッコファン２７は光源ケース２１の中で発生した熱により暖まった空気を外部に排気することにより光源ケース内の温度上昇を防ぐものである。冷却用の空気はキャビネット１１の上部に設けられた吸気口１２より吸入し、シロッコファン２７によりキャビネット１０の後方の排気口２８より排出する。光学系ケース３０の中では平行光線２９を光の三原色に分光する手段と、映像を表示する手段および映像を合成して投写する手段とが収納されている。赤反射ダイクロイックミラー３１により平行光線２９の赤色成分のみが反射され、青反射ダイクロイックミラー３２により平行光線２９の青色成分が反射され、それぞれ二枚の反射ミラー３３を経て赤色映像表示パネル３５、青色映像表示パネル３６を照明する。赤反射ダイクロイックミラー３１および青反射ダイクロイックミラーを透過した光は、平行光線２９のうちの緑色成分であり、緑色映像表示パネル３４を照明する。緑色映像表示パネル３４、赤色映像表示パネル３５、青色映像表示パネル３６の前後には前偏光板３７および後偏光板３８が設けられ、それぞれＳ偏光成分の光が透過するように構成される。ダイクロイックプリズム３９は直角プリズムの頂角をはさむ斜面にダイクロイック層を形成したものを四個貼り合わせて構成したものであり、緑色映像表示パネル３４の映像はダイクロイックプリズム３９を透過し、赤色映像表示パネル３５および青色映像表示パネル３６の映像はダイクロイックプリズム３９の斜面で反射して投写レンズ２０に至り投写される。」（第２頁左上欄第１６行〜第３頁左上欄第６行）、「第４図は耐候性偏光板２６の構成図であり、偏光板４２は耐熱ガラスによる前ガラス板４１および後ガラス板４３により挟まれた三層構造をなしており前ガラス板４１より入光した平行光線２９は後ガラス板４３より出光するときにはＳ偏光成分の光による平行光線２９となる。」（第３頁左上欄第１０〜１５行）、「第６図で示すように、耐候性偏光板２６を用いることにより、すべての偏光成分をもつ平行光線２９は耐候性偏光板２６を通過後にはＳ偏光成分の平行光線２９となり、緑色映像表示パネル３４の前に貼られた前偏光板３７では光線の吸収がおこらないため熱により影響を除くことができる。」（第３頁右上欄第１８行〜左下欄第３行）、及び「以上述べたように本発明によれば、Ｓ偏光成分の光を透過し、Ｐ偏光成分の光を吸収する耐候性偏光板を光源の後にもうけることにより、光源以降の光学系および液晶パネルにおける温度上昇や光線の衝突によるヤケ等の悪影響を緩和することができる。また薄膜トランジスタをマトリクス状に集積した液晶パネルを三枚もちいてカラー表示をおこなうことにより、スタテイック駆動と同等のコントラスト比や表示品質が得られる投写映像を得ることができる。さらには、三枚の液晶パネルの映像を合成してから一本の投写レンズによりスクリーンに投写する方式であるため、映像の周辺部まで色ズレのない、きれいな映像を得ることができる。」（第４頁左欄第３〜１７行）との記載がある。
　同じく引用した参考資料１（特開昭６１−９９１１８号公報）には、「ダイクロイックミラーは色光の分離合成機能があればよいが、誘電体薄膜の反射には必ず偏光作用が生じる。つまり第１図では赤光、青光は垂直方向の偏光成分が多く、緑光は水平方向の偏光成分が多い。」（第３頁左上欄第１５〜１９行）との記載があり、
　同じく引用した参考資料２（特開昭６２−３０２１５号公報）には、「本発明のダイクロイツクミラーは色光の分離合成機能があればよいが、誘電体薄膜の反射には必ず偏光作用が生じる。つまり第１図では赤光、青光は垂直方向の偏光成分が多く、緑光は水平方向の偏光成分が多い。」（第４頁左下欄第１６〜２０行）との記載があり、
　同じく引用した参考資料３（『レーザー＆オプティクスガイドＩＩ』、＜キノ・メレスグリオ株式会社、１９９０年７月発行＞、第１０−３３頁）には、「■ある波長において、誘電体多層膜コーティングはｓ及びｐ偏光成分の薄膜フィルムに際立った差を示します。残念ながら、この現象の物理的な説明をこのガイドで完全に行うことは不可能です。
■偏光特性の根本原理は、入射角が零から増大する時、入射ビームのｓ及びｐ偏光成分に対するフィルム層の有効屈折率に差が生じることにあります。この原理をカルサイト等の結晶材料の複屈折と混同してはなりません。複屈折と異なり、偏光特性には真の結晶状態の対称性は必要とされません。偏光による影響は、斜め入射における電磁波のｓ及びｐ成分に対応する磁界及び電界の差から生じます。
■反射の結果生じる二つの偏光成分の反射率の差は常に同じ形態にあります。即ち、最大のｐ偏光成分の反射率は、斜め入射において、常にｓ偏光成分の最大反射率より大きくなります。また、反射率を適宜の入射角における波長の関数としてプロットしたとすると、ｓ偏光成分の反射率のピークの波長範囲はｐ偏光成分の反射率のピークの波長範囲よりも常に広くなっています。」（左欄第２３〜４０行）との記載があり、
　同じく引用した参考資料４（『光学多層膜フィルター/ミラー』ＨＯＹＡオプティクス株式会社発行、第１４−１５頁）には、「光学多層膜を斜め入射で使用すると、入射光の偏光状態によって分光特性が異なります。また同様に出射側の反射光、透過光の偏光状態も変化します。下図に示したように、入射光の進行方向と膜面の法線とで作られる入射面内において、電場ベクトルの振動方向が平行なＰ偏光では反射帯が狭くなり、振動方向が垂直なＳ偏光では広くなります。この理由は、斜め入射の場合には、Ｐ偏光、Ｓ偏光に対する実効屈折率がそれぞれｎ/ＣＯＳθ、ｎＣＯＳθ（ｎは媒質の屈折率、θはその媒質での入射角）となるためです。反射帯の幅は、高屈折率膜と低屈折率膜との実効屈折率の差で定まり、Ｐ偏光ではこの差が小さくなるために反射帯が狭くなり、Ｓ偏光では大きくなるために反射帯が広くなります。このことにより、例えばショートパスフィルターでは、その５０％波長位置が、自然光よりもＰ偏光は長波長側に、Ｓ偏光は短波長側に位置します。」（分光特性の偏光依存性についての項）との記載がある。
＜２９条の２違反について＞
〔本件請求項１に係る発明〕
　　本件請求項１に係る発明と、上記甲第１号証に記載された発明とを、対比すると、本件請求項１に係る発明の「液晶パネル」、「光源」、「投影レンズ」、「ミラー」は、それぞれ、上記甲第１号証に記載された「液晶ディスプレイ３５、３５’、３５”」、「ランプ２１」、「投写レンズ系４１」、「コールドミラー２３、前面ミラー３３、３９」に相当するから、両者は、３枚の液晶パネルと、１つの光源と、前記光源からの光を赤、緑、青の光に分離してその赤色光を第１の液晶パネルに、緑色光を第２の液晶パネルに、青色光を第３の液晶パネルにそれぞれ入射させる光入射系と、投影レンズとを備え、前記各液晶パネルを出射した赤、緑、青の光を前記投影レンズにより拡大投影してスクリーンに投影してカラー画像を表示する投影型液晶表示装置において、前記光入射系を、前記光源と前記３枚の液晶パネルと間の光路をそれぞれ複数のミラーを利用して、前記赤、緑、青の光をそれぞれ同一方向の偏光成分が強い光として前記各液晶パネルに入射させる構成とするとともに、前記各液晶パネルの光入射面側にそれぞれ前記赤、緑、青の光の光成分が強い方向に透過軸を合わせた入射側偏光板を配置し、前記各液晶パネルの光出射面側にそれぞれ前記各液晶パネルを出射した光を画像光にするための画像形成用偏光板を配置し、さらに前記３枚の液晶パネルを同一画素配列でかつ同一の配光方向の液晶パネルとして、かつ、前記３枚の液晶パネルに入射される光の偏光方向をＳ偏光成分の強い光としたことを特徴とする投影型液晶表示装置、で一致し、
Ａ本件請求項１に係る発明は、前記スクリーンは、レンチキュラーレンズを備えるとともに、前記３枚の液晶パネルから入射される光が、前記レンチキュラーレンズの各レンズ部の幅方向に振動する光となるように配置したのに対して、上記甲第１号証に記載の発明は、そのような記載が無い点で相違する。
　そして、上記Ａは、自明の事項であるとも、当該技術分野における技術常識であるとも認められないから、本件請求項１に係る発明が、上記甲第１号証に記載の発明であるとは、言えない。
〔本件請求項２に係る発明〕
　　本件請求項２に係る発明と、上記甲第１号証に記載された発明とを、対比すると、本件請求項２に係る発明の「液晶パネル」、「光源」、「投影レンズ」、「ミラー」は、それぞれ、上記甲第１号証に記載された「液晶ディスプレイ３５、３５’、３５”」、「ランプ２１」、「投写レンズ系４１」、「コールドミラー２３、前面ミラー３３、３９」に相当するから、両者は、３枚の液晶パネルと、１つの光源と、前記光源からの光を赤、緑、青の光に分離してその赤色光を第１の液晶パネルに、緑色光を第２の液晶パネルに、青色光を第３の液晶パネルにそれぞれ入射させる光入射系と、投影レンズとを備え、前記各液晶パネルを出射した赤、緑、青の光を前記投影レンズにより拡大投影してスクリーンに投影してカラー画像を表示する投影型液晶表示装置において、前記光入射系を、前記光源と前記３枚の液晶パネルと間の光路をそれぞれ複数のミラーを利用して、前記赤、緑、青の光をそれぞれ同一方向の偏光成分が強い光として前記各液晶パネルに入射させる構成とするとともに、前記各液晶パネルの光入射面側にそれぞれ前記赤、緑、青の光の光成分が強い方向に透過軸を合わせた入射側偏光板を配置し、さらに前記３枚の液晶パネルを同一画素配列でかつ同一の配光方向の液晶パネルとして、かつ、前記３枚の液晶パネルに入射される光の偏光方向をＳ偏光成分の強い光とし、前記各液晶パネルの光出射面側にそれぞれ前記各液晶パネルを出射した光を画像光にするための画像形成用偏光板を、前記各液晶パネルを出射した赤、緑、青の光のすべてが入射するように配置したことを特徴とする投影型液晶表示装置、で一致し、
Ｂ本件請求項２に係る発明は、前記スクリーンは、レンチキュラーレンズを備えるとともに、前記画像形成用偏光板から入射される光が、前記レンチキュラーレンズの各レンズ部の幅方向に振動する光となるように配置したのに対して、上記甲第１号証に記載の発明は、そのような記載が無い点で相違する。
　そして、上記Ｂは、自明の事項であるとも、当該技術分野における技術常識であるとも認められないから、本件請求項２に係る発明が、上記甲第１号証に記載の発明であるとは、言えない。
＜２９条第２項違反について＞
〔本件請求項１に係る発明〕
　　本件請求項１に係る発明と、上記甲第２号証に記載された発明とを、対比すると、本件請求項１に係る発明の「液晶パネル」、「光源」、「投影レンズ」、「ミラー」、「入射側偏光板」、「画像形成用偏光板」は、上記甲第２号証に記載された「緑色映像表示パネル３４、赤色映像表示パネル３５、青色映像表示パネル３６」、「光源２２」、「投写レンズ２０」、「反射ミラー３３、３４」、「前偏光板３７」、「後偏光板３８」に相当するから、両者は、３枚の液晶パネルと、１つの光源と、前記光源からの光を赤、緑、青の光に分離してその赤色光を第１の液晶パネルに、緑色光を第２の液晶パネルに、青色光を第３の液晶パネルにそれぞれ入射させる光入射系と、投影レンズとを備え、前記各液晶パネルを出射した赤、緑、青の光を前記投影レンズにより拡大投影してスクリーンに投影してカラー画像を表示する投影型液晶表示装置において、前記光入射系を、前記光源と前記３枚の液晶パネルと間の光路をそれぞれ複数のミラーを利用して、前記赤、緑、青の光をそれぞれ同一方向の偏光成分が強い光として前記各液晶パネルに入射させる構成とするとともに、前記各液晶パネルの光入射面側にそれぞれ前記赤、緑、青の光の光成分が強い方向に透過軸を合わせた入射側偏光板を配置し、前記各液晶パネルの光出射面側にそれぞれ前記各液晶パネルを出射した光を画像光にするための画像形成用偏光板を配置し、さらに前記３枚の液晶パネルを同一画素配列でかつ同一の配光方向の液晶パネルとして、かつ、前記３枚の液晶パネルに入射される光の偏光方向をＳ偏光成分の強い光としたことを特徴とする投影型液晶表示装置、で一致し、
Ａ本件請求項１に係る発明は、前記スクリーンは、レンチキュラーレンズを備えるとともに、前記３枚の液晶パネルから入射される光が、前記レンチキュラーレンズの各レンズ部の幅方向に振動する光となるように配置したのに対して、上記甲第２号証に記載の発明は、そのような記載が無い点で相違する。
  そこで、参考資料１〜４に、上記Ａの点が開示されているか否かを検討すると、いずれの参考資料にも上記Ａの点は開示されていない。
　してみれば、上記Ａの点は、上記甲第２号証及び各参考資料のいずれにも開示されていない。
　そして、本件請求項１に係る発明は、上記Ａの構成を有することによって、明細書記載の作用効果を奏するものであるから、本件請求項１に係る発明が、上記甲第２号証及び各参考資料のいずれかであるとも、また、これらから、当業者が容易に発明をすることができたものであるとは言えない。
〔本件請求項２に係る発明〕
　　本件請求項２に係る発明と、上記甲第２号証に記載された発明とを、対比すると、本件請求項２に係る発明の「液晶パネル」、「光源」、「投影レンズ」、「ミラー」、「入射側偏光板」、「画像形成用偏光板」は、上記甲第２号証に記載された「緑色映像表示パネル３４、赤色映像表示パネル３５、青色映像表示パネル３６」、「光源２２」、「投写レンズ２０」、「反射ミラー３３、３４」、「前偏光板３７」、「後偏光板３８」に相当するから、両者は、３枚の液晶パネルと、１つの光源と、前記光源からの光を赤、緑、青の光に分離してその赤色光を第１の液晶パネルに、緑色光を第２の液晶パネルに、青色光を第３の液晶パネルにそれぞれ入射させる光入射系と、投影レンズとを備え、前記各液晶パネルを出射した赤、緑、青の光を前記投影レンズにより拡大投影してスクリーンに投影してカラー画像を表示する投影型液晶表示装置において、前記光入射系を、前記光源と前記３枚の液晶パネルと間の光路をそれぞれ複数のミラーを利用して、前記赤、緑、青の光をそれぞれ同一方向の偏光成分が強い光として前記各液晶パネルに入射させる構成とするとともに、前記各液晶パネルの光入射面側にそれぞれ前記赤、緑、青の光の光成分が強い方向に透過軸を合わせた入射側偏光板を配置し、さらに前記３枚の液晶パネルを同一画素配列でかつ同一の配光方向の液晶パネルとして、かつ、前記３枚の液晶パネルに入射される光の偏光方向をＳ偏光成分の強い光とし、
前記各液晶パネルの光出射面側にそれぞれ前記各液晶パネルを出射した光を画像光にするための画像形成用偏光板を、前記各液晶パネルを出射した赤、緑、青の光のすべてが入射するように配置したことを特徴とする投影型液晶表示装置、で一致し、
Ｂ本件請求項２に係る発明は、前記スクリーンは、レンチキュラーレンズを備えるとともに、前記画像形成用偏光板から入射される光が、前記レンチキュラーレンズの各レンズ部の幅方向に振動する光となるように配置したのに対して、上記甲第２号証に記載の発明は、そのような記載が無い点で相違する。
  そこで、参考資料１〜４に、上記Ｂの点が開示されているか否かを検討すると、いずれの参考資料にも上記Ｂの点は開示されていない。
　してみれば、上記Ｂの点は、上記甲第２号証及び各参考資料のいずれにも開示されていない。
　そして、本件請求項２に係る発明は、上記Ｂの構成を有することによって、明細書記載の作用効果を奏するものであるから、本件請求項２に係る発明が、上記甲第２号証及び各参考資料のいずれかであるとも、また、これらから、当業者が容易に発明をすることができたものであるとは言えない。
ウ.むすび
　以上のとおりであるから、特許異議申立の理由及び証拠によっては、本件請求項１、２に係る発明の特許を取り消すことはできない。
　また、他に本件請求項１、２に係る発明の特許を取り消すべき理由を発見しない。
　よって、結論のとおり決定する。
【異議決定日】
平成１２年１１月６日（２０００．１１．６）
【訂正の要旨】
　訂正の要旨
特許請求の範囲の減縮を目的として、下記（１）、（２）のように特許請求の範囲を訂正する。また、特許請求の範囲の訂正に応じて、発明の詳細な説明についても、適合性を持たせるために下記（３）、（４）のように訂正する。
（１）特許請求の範囲の請求項１を次のとおり訂正する。
　「【請求項１】３枚の液晶パネルと、１つの光源と、前記光源からの光を赤、緑、青の光に分離してその赤色光を第１の液晶パネルに、緑色光を第２の液晶パネルに、青色光を第３の液晶パネルにそれぞれ入射させる光入射系と、投影レンズとを備え、前記各液晶パネルを出射した赤、緑、青の光を前記投影レンズにより拡大投影してスクリーンに投影してカラー画像を表示する投影型液晶表示装置において、前記光入射系を、前記光源と前記３枚の液晶パネルと間の光路をそれぞれ複数のミラーを利用して、前記赤、緑、青の光をそれぞれ同一方向の偏光成分が強い光として前記各液晶パネルに入射させる構成とするとともに、前記各液晶パネルの光入射面側にそれぞれ前記赤、緑、青の光の光成分が強い方向に透過軸を合わせた入射側偏光板を配置し、前記各液晶パネルの光出射面側にそれぞれ前記各液晶パネルを出射した光を画像光にするための画像形成用偏光板を配置し、さらに前記３枚の液晶パネルを同一画素配列でかつ同一の配光方向の液晶パネルとして、かつ、前記３枚の液晶パネルに入射される光の偏光方向をＳ偏光成分の強い光とし、前記スクリーンは、レンチキュラーレンズを備えるとともに、前記３枚の液晶パネルから入射される光が、前記レンチキュラーレンズの各レンズ部の幅方向に振動する光となるように配置したことを特徴とする投影型液晶表示装置。」
（２）特許請求の範囲の請求項２を次のとおり訂正する。
　「【請求項２】３枚の液晶パネルと、１つの光源と、前記光源からの光を赤、緑、青の光に分離してその赤色光を第１の液晶パネルに、緑色光を第２の液晶パネルに、青色光を第３の液晶パネルにそれぞれ入射させる光入射系と、投影レンズとを備え、前記各液晶パネルを出射した赤、緑、青の光を前記投影レンズにより拡大投影してスクリーンに投影してカラー画像を表示する投影型液晶表示装置において、前記光入射系を、前記光源と前記３枚の液晶パネルと間の光路をそれぞれ複数のミラーを利用して、前記赤、緑、青の光をそれぞれ同一方向の偏光成分が強い光として前記各液晶パネルに入射させる構成とするとともに、前記各液晶パネルの光入射面側にそれぞれ前記赤、緑、青の光の光成分が強い方向に透過軸を合わせた入射側偏光板を配置し、さらに前記３枚の液晶パネルを同一画素配列でかつ同一の配光方向の液晶パネルとして、かつ、前記３枚の液晶パネルに入射される光の偏光方向をＳ偏光成分の強い光とし、前記各液晶パネルの光出射面側にそれぞれ前記各液晶パネルを出射した光を画像光にするための画像形成用偏光板を、前記各液晶パネルを出射した赤、緑、青の光のすべてが入射するように配置し、前記スクリーンは、レンチキュラーレンズを備えるとともに、前記画像形成用偏光板から入射される光が、前記レンチキュラーレンズの各レンズ部の幅方向に振動する光となるように配置したことを特徴とする投影型液晶表示装置。」
（３）明細書の段落【００１３】を「【課題を解決するための手段】
本発明は、上記目的を達成するために、３枚の液晶パネルと、１つの光源と、前記光源からの光を赤、緑、青の光に分離してその赤色光を第１の液晶パネルに、緑色光を第２の液晶パネルに、青色光を第３の液晶パネルにそれぞれ入射させる光入射系と、投影レンズとを備え、前記各液晶パネルを出射した赤、緑、青の光を前記投影レンズにより拡大投影してスクリーンに投影してカラー画像を表示する投影型液晶表示装置において、前記光入射系を、前記光源と前記３枚の液晶パネルと間の光路をそれぞれ複数のミラーを利用して、前記赤、緑、青の光をそれぞれ同一方向の偏光成分が強い光として前記各液晶パネルに入射させる構成とするとともに、前記各液晶パネルの光入射面側にそれぞれ前記赤、緑、青の光の光成分が強い方向に透過軸を合わせた入射側偏光板を配置し、さらに前記３枚の液晶パネルを同一画素配列でかつ同一の配光方向の液晶パネルとして、かつ、前記３枚の液晶パネルに入射される光の偏光方向をＳ偏光成分の強い光とし、前記スクリーンは、レンチキュラーレンズを備えるとともに、前記３枚の液晶パネルから入射される光が、前記レンチキュラーレンズの各レンズ部の幅方向に振動する光となるように配置したことを特徴とするものである。」と訂正する。
（４）明細書段落【００１５】を「【作用】
本発明においては、光源からの光を赤、緑、青の光に分離して３枚の液晶パネルに入射させる光入射系を、前記赤、緑、青の光をそれぞれ同一方向の偏光成分が強い光として各液晶パネルに入射させる構成としているため、各液晶パネルを出射し、画像形成用偏光板により画像光とされる赤、緑、青の光はいずれも同じ偏光状態の光であり、したがってスクリーンの各部に対する光の入射角が異なっても、前記赤、緑、青の光がほぼ同じ強度の光として観察され、また、スクリーンに入射するフルカラー画像光はその赤、緑、青の光ＲＧＢが全て同一方向の振動光（Ｓ偏光成分の光）であるために、この赤、緑、青の光ＲＧＢが全てレンチキュラーレンズでの表面反射をほとんど生じることなくスクリーン表面側に透過するから、スクリーンに表示されるカラー画像が、赤、緑、青の光の強さがバランスした品質のよい画像となる。」と訂正する。
（５４）【発明の名称】
投影型液晶表示装置
（５７）【特許請求の範囲】
　【請求項１】　３枚の液晶パネルと、１つの光源と、前記光源からの光を赤、緑、青の光に分離してその赤色光を第１の液晶パネルに、緑色光を第２の液晶パネルに、青色光を第３の液晶パネルにそれぞれ入射させる光入射系と、投影レンズとを備え、前記各液晶パネルを出射した赤、緑、青の光を前記投影レンズにより拡大投影してスクリーンに投影してカラー画像を表示する投影型液晶表示装置において、
　前記光入射系を、前記光源と前記３枚の液晶パネルと間の光路をそれぞれ複数のミラーを利用して、前記赤、緑、青の光をそれぞれ同一方向の偏光成分が強い光として前記各液晶パネルに入射させる構成とするとともに、
　前記各液晶パネルの光入射面側にそれぞれ前記赤、緑、青の光の光成分が強い方向に透過軸を合わせた入射側偏光板を配置し、前記各液晶パネルの光出射面側にそれぞれ前記各液晶パネルを出射した光を画像光にするための画像形成用偏光板を配置し、
　さらに前記３枚の液晶パネルを同一画素配列でかつ同一の配光方向の液晶パネルとして、かつ、
前記３枚の液晶パネルに入射される光の偏光方向をＳ偏光成分の強い光とし、
　
前記スクリーンは、レンチキュラーレンズを備えるとともに、前記３枚の液晶パネルから入射される光が、前記レンチキュラーレンズの各レンズ部の幅方向に振動する光となるように配置したこと
　【請求項２】　３枚の液晶パネルと、１つの光源と、前記光源からの光を赤、緑、青の光に分離してその赤色光を第１の液晶パネルに、緑色光を第２の液晶パネルに、青色光を第３の液晶パネルにそれぞれ入射させる光入射系と、投影レンズとを備え、前記各液晶パネルを出射した赤、緑、青の光を前記投影レンズにより拡大投影してスクリーンに投影してカラー画像を表示する投影型液晶表示装置において、
　前記光入射系を、前記光源と前記３枚の液晶パネルと間の光路をそれぞれ複数のミラーを利用して、前記赤、緑、青の光をそれぞれ同一方向の偏光成分が強い光として前記各液晶パネルに入射させる構成とするとともに、
　前記各液晶パネルの光入射面側にそれぞれ前記赤、緑、青の光の光成分が強い方向に透過軸を合わせた入射側偏光板を配置し、
　さらに前記３枚の液晶パネルを同一画素配列でかつ同一の配光方向の液晶パネルとして、かつ、前記３枚の
液晶パネルに入射される光の偏光方向をＳ偏光成分の強い光とし、前記
入射するように配置し、
　
前記スクリーンは、レンチキュラーレンズを備えるとともに、前記画像形成用偏光板から入射される光が、前記レンチキュラーレンズの各レンズ部の幅方向に振動する光となるように配置したこと
【発明の詳細な説明】
　【０００１】
　【産業上の利用分野】
　本発明は、投影型液晶表示装置に関するものである。
　【０００２】
　【従来の技術】
　最近、液晶パネルを用いてテレビジョン画像等を表示する液晶表示装置として、液晶パネルの表示画像を投影レンズにより拡大してスクリーンに投影表示するものが開発されているが、この投影型の液晶表示装置は、液晶パネルの表示画像を拡大してスクリーンに投影するものであるために、液晶パネルが赤、緑、青の三原色画素の組合わせでカラー画像を表示するものである場合には、スクリーンに拡大投影される画像が赤、緑、青の画素が目立つ荒れた画像となるという問題をもっている。
　【０００３】
　このため従来から、投影型液晶表示装置として、赤の画像を表示するための第１の液晶パネルと、緑の画像を表示するための第２の液晶パネルと、青の画像を表示するための第３の液晶パネルとの３枚の液晶パネルを用い、これら各液晶パネルを出射した赤、緑、青の光をスクリーンに投影してカラー画像を表示するようにしたものが提案されている。
　【０００４】
　この投影型液晶表示装置によれば、スクリーンに表示されるカラー画像の１つ１つの画素が、赤、緑、青の画素が重なったカラー画素となるから、１つの表示パネルが表示する赤、緑、青の画素が交互に並ぶカラー画像をスクリーン面に投影するものに比べて、スクリーン投影画像の画質を大幅に向上させることができる。
　【０００５】
　上記投影型液晶表示装置としては、各液晶パネルをそれぞれ赤、緑、青のカラーフィルタを備えたものとするとともに、各液晶パネルごとにそれぞれ光源を設けたものが知られているが、このように各液晶パネルごとに光源を設けるのでは、装置の価格が高くなるだけでなく消費電力も大きくなるため、最近では、光源を１つとし、この光源からの光を赤、緑、青の三原色光に分離して、これら各色の光をそれぞれ各液晶パネル入射させることが考えられている。
　【０００６】
　この種の投影型液晶表示装置は、３枚の液晶パネルと、１つの光源と、前記光源からの光をダイクロイックミラ一等により赤、緑、青の光に分離してその赤色光を第１の液晶パネルに、緑色光を第２の液晶パネルに、青色光を第３の液晶パネルにそれぞれ入射させる光入射系と、投影レンズとを備え、前記各液晶パネルを出射した赤、緑、青の光を前記投影レンズによりスクリーンに投影してカラー画像を表示する構成となっている。
　【０００７】
　なお、各液晶パネルを出射した赤、緑、青の光は、前記各液晶パネルの光出射面側にそれぞれ配置されている画像形成用偏光板により画像光とされてスクリーンに投影される。
　【０００８】
　この投影型液晶表示装置によれば、３枚の液晶パネルを使用するものでありながら光源は１つでよく、また各液晶パネルに入射する光が赤、緑、青の着色光であるため、液晶パネルにカラーフィルタを設ける必要もない。
　【０００９】
　【発明が解決しようとする課題】
　しかし、１つの光源からの光を赤、緑、青の光に分離して３枚の液晶パネルに入射させ、これら液晶パネルを出射した赤、緑、青の光を投影レンズにより拡大してスクリーンに投影してカラー画像を表示する方式の投影型液晶表示装置は、スクリーンに表示されるカラー画像が色バランスの悪い画像となってしまうという問題をもっていた。
　【００１０】
　これは、スクリーンに投影された赤、緑、青の光が、その偏光状態により、異なる強度の光として観察されるためである。すなわち、上記投影型液晶表示装置では、各液晶パネルを出射し、画像形成用偏光板により画像光とされた赤、緑、青の光が、投影レンズにより拡大されて光束を広げながらスクリーンに投影されるため、この投影光は、スクリーンの各部に対して異なる入射角で入射する。
　【００１１】
　そして、例えば前記スクリーンが透過型スクリーンである場合は、このスクリーン面に対して垂直に入射する光はその偏光方向に関係なくほぼ同じ透過率でスクリーンを透過するが、スクリーン面に対して斜めに入射する光はその偏光方向により異なる透過率でスクリーンを透過するため、前記赤、緑、青の光の偏光状態が異なっていると、スクリーンを透過した赤、緑、青の光が異なる強度の光として観察され、スクリーンに表示されるカラー画像が色バランスの悪い画像となる。
　【００１２】
　本発明は上記のような実情にかんがみてなされたものであって、その目的とするところは、１つの光源からの光を赤、緑、青の光に分離して３枚の液晶パネルに入射させ、これら液晶パネルを出射した赤、緑、青の光を投影レンズにより拡大してスクリーンに投影してカラー画像を表示するものでありながら、スクリーンに表示されるカラー画像を、赤、緑、青の光の強さをバランスさせた品質のよい画像とすることができる投影型液晶表示装置を提供することにある。
　【００１３】
　【課題を解決するための手段】
　本発明は、上記目的を達成するために、３枚の液晶パネルと、１つの光源と、前記光源からの光を赤、緑、青の光に分離してその赤色光を第１の液晶パネルに、緑色光を第２の液晶パネルに、青色光を第３の液晶パネルにそれぞれ入射させる光入射系と、投影レンズとを備え、前記各液晶パネルを出射した赤、緑、青の光を前記投影レンズにより拡大投影してスクリーンに投影してカラー画像を表示する投影型液晶表示装置において、前記光入射系を、前記光源と前記３枚の液晶パネルと間の光路をそれぞれ複数のミラーを利用して、前記赤、緑、青の光をそれぞれ同一方向の偏光成分が強い光として前記各液晶パネルに入射させる構成とするとともに、前記各液晶パネルの光入射面側にそれぞれ前記赤、緑、青の光の光成分が強い方向に透過軸を合わせた入射側偏光板を
配置し、さらに前記３枚の液晶パネルを同一画素配列でかつ同一の配光方向の液晶パネルとして、かつ、前記３枚の液晶パネルに入射される光の偏光方向をＳ偏光成分の強い光とし、
　
前記スクリーンは、レンチキュラーレンズを備えるとともに、前記３枚の液晶パネルから入射される光が、前記レンチキュラーレンズの各レンズ部の幅方向に振動する光となるように配置したこと
　【００１４】
　本発明において、前記液晶パネルを出射した光を画像光にするための画像形成用偏光板は、各液晶パネルの光出射面側にそれぞれ配置してもよいし、前記各液晶パネルを出射した赤、緑、青の光の全てが入射する位置に配置してもよい。
　【００１５】
　【作用】
　本発明においては、光源からの光を赤、緑、青の光に分離して３枚の液晶パネルに入射させる光入射系を、前記赤、緑、青の光をそれぞれ同一方向の偏光成分が強い光として各液晶パネルに入射させる構成としているため、各液晶パネルを出射し、画像形成用偏光板により画像光とされる赤、緑、青の光はいずれも同じ偏光状態の光であり、したがってスクリーンの各部に対する光の入射角が異なっても、前記赤、緑、青の光がほぼ同じ強度の光として
観察され、また、スクリーンに入射するフルカラー画像光はその赤、緑、青の光ＲＧＢが全て同一方向の振動光（Ｓ偏光成分の光）であるために、この赤、緑、青の光ＲＧＢが全てレンチキュラーレンズでの表面反射をほとんど生じることなくスクリーン表面側に透過するから、
　【００１６】
　【実施例】
　以下、本発明の一実施例を図１〜図３を参照して説明する。図１は投影型液晶表示装置の全体の構成を示し、図２はその内部の投影ユニットを示している。なお、この実施例の投影型液晶表示装置は、装置の前面に透過型スクリーンを設けて装置内部に設けた液晶パネルを出射した光を前記透過型スクリーンにその背面側から投影し、このスクリーンに投影された光によって表示される画像を装置の前面側から観察させる背面投影型のものである。
　【００１７】
　図１および図２において、１は装置のケースであり、このケース１の前面に開口された表示窓には、表面にストライプ状の微小幅レンズ部が多数本平行に並ぶレンチキュラーレンズ３を形成した透過型スクリーン２が設けられている。
　【００１８】
　４はケース１内に設けられた投影ユニット、５および６は投影ミラーであり、投影ユニット４からの投影光（フルカラー画像光）は、第１投影ミラー５によって第２投影ミラー６に向けて反射され、さらにこの第２投影ミラー６によって前記スクリーン２に向けて反射される。
　【００１９】
　なお、このように投影ユニット４からの投影光を投影ミラー５，６により反射させて屈折した光路でスクリーン２に投影するようにしているのは、表示装置の奥行き長さを小さくするためである。
　【００２０】
　前記投影ユニット４の構成を説明すると、図２において、７Ｒ，７Ｇ，７Ｂは３枚の液晶パネルであり、各液晶パネル７Ｒ，７Ｇ，７Ｂは、画素配列が同一で、かつ液晶の配向方向も同一な液晶パネルとされている。これら液晶パネル７Ｒ，７Ｇ，７Ｂは、ＴＮ（ツィステッド・ネマティック）型のものであり、その光入射面には入射光偏光板８が設けられ、光出射面には画像形成用偏光板９が設けられており、内部の液晶は入射光偏光板８の偏光軸方向を基準としてツイスト配向されている。
　【００２１】
　この各液晶パネルのうち、７Ｒは赤色画像を表示するための赤色画像表示用液晶パネル、７Ｇは緑色画像を表示するための緑色画像表示用液晶パネル、７Ｂは青色画像を表示するための青色画像表示用液晶パネルとされており、これら液晶パネル７Ｒ，７Ｇ，７Ｂは、同じフルカラー画像の赤、緑、青の各色の成分の画像をそれぞれ表示するようになっている。
　【００２２】
　そして、各液晶パネル７Ｒ，７Ｇ，７Ｂのうちの１つの液晶パネル例えば緑色画像表示用液晶パネル７Ｇは、その光出射面を投影レンズ１０に対向させて配置され、他の２つの液晶パネルつまり赤色画像表示用液晶パネル７Ｒと青色画像表示用液晶パネル７Ｂとは、緑色画像表示用液晶パネル７Ｇと投影レンズ１０との間に配置された画像合成用ダイクロイックプリズム１１の両側面にそれぞれ光出射面を対向させて配置されており、さらに各液晶パネル７Ｒ，７Ｇ，７Ｂはそれぞれ、前記ダイクロイックプリズム１１の中心から同一距離をとって配置されている。
　【００２３】
　１２は前記各液晶パネル７Ｒ，７Ｇ，７Ｂを照射する光源であり、この光源１２は各液晶パネル７Ｒ，７Ｇ，７Ｂのうちの投影レンズ１０と対向している緑色画像表示用液晶パネル７Ｇに対向させて設けられている。この光源１２は、光源ランプと、この光源ランプからの放射光を緑色画像表示用液晶パネル７Ｇに向けて平行光として反射させる放物面鏡リフレクタとからなっている。
　【００２４】
　また、１６ａ，１６ｂは光源１２からの光（白色光）を赤、緑、青の三原色光に分離するための２枚のダイクロイックミラーであり、第１のダイクロイックミラー１６ａは青色光分離用とされ、この青色光分離用ダイクロイックミラー１６ａは、光源１２と緑色画像表示用液晶パネル７Ｇとの間に光源１２からの照明光の光軸（以下光源光軸という）Ｏ０に対して４５°の角度で傾斜させて配置されている。
　【００２５】
　この青色光分離用ダイクロイックミラー１６ａは、青色成分の波長光を透過させ他の波長光つまり赤と緑の成分の波長光を反射させるもので、光源１２からの光のうち、青色光分離用ダイクロイックミラー１６ａを透過した青色光Ｂは、この青色光分離用ダイクロイックミラー１６ａと緑色画像表示用液晶パネル７Ｇとの間に前記光源光軸Ｏ０（青色光分離用ダイクロイックミラー１６ａを透過した青色光Ｂの光軸）に対して４５°の角度でかつ青色光分離用ダイクロイックミラー１６ａと９０°の角度で対向させて配置した青色光反射用第１ミラー１７ａにより光源光軸Ｏ０対して直交する方向に反射される。
　【００２６】
　また、前記第１ミラー１７ａの側方には、この第１ミラー１７ａと平行に青色光反射用第２ミラー１７ｂが配置されており、前記第１ミラー１７ａで反射された青色光Ｂは、この第２ミラー１７ｂによって光源光軸Ｏ０と平行な方向に反射され、さらに前記青色画像表示用液晶パネル７Ｂの光入射面に４５°の傾斜角で対向させかつ前記第２ミラー１７ｂに対して９０°の角度で対向させて配置した青色光反射用第３ミラー１７ｃにより、青色画像表示用液晶パネル７Ｂに向けて反射される。
　【００２７】
　一方、前記青色光分離用ダイクロイックミラー１６ａで反射された赤緑色光ＲＧは、前記青色光反射用第２，第３ミラー１７ｂ，１７ｃの配置側とは反対側に、青色光分離用ダイクロイックミラー１６ａと対向させてこの青色光分離用ダイクロイックミラー１６ａと平行に設けた赤緑色光反射ミラー１８により、前記光源光軸Ｏ０および青色光反射用第２ミラー１７ｂで反射された青色光Ｂの光軸Ｏ１と平行な方向に反射され、この光軸に対して４５°の角度でかつ赤緑色光反射ミラー１８に対して９０°の角度で対向させて配置した第２のダイクロイックミラー１６ｂに入射する。
　【００２８】
　この第２のダイクロイックミラー１６ｂは、青色光分離用ダイクロイックミラー１６ａで反射された赤緑色光ＲＧを赤色光Ｒと緑色光Ｇとに分離するもので、この赤緑色光分離用ダイクロイックミラー１６ｂは、赤色成分の波長光を透過させ他の波長光つまり緑色成分の波長光を反射させるものとされている。
　【００２９】
　そして、この赤緑色光分離用ダイクロイックミラー１６ｂを透過した赤色光Ｒは、前記赤色画像表示用液晶パネル７Ｒの光入射面に４５°の傾斜角で対向させかつ前記赤緑色光分離用ダイクロイックミラー１６ｂと平行に対向させて配置した赤色光反射ミラー１９により、赤色画像表示用液晶パネル７Ｒに向けて反射される。
　【００３０】
　また、赤緑色光分離用ダイクロイックミラー１６ｂで反射された緑色光Ｇは、緑色画像表示用液晶パネル７Ｇの光入射面に４５°の傾斜角で対向させかつ赤緑色光分離用ダイクロイックミラー１６ｂと平行に対向させて配置した緑色光反射ミラー２０により、緑色画像表示用液晶パネル７Ｇに向けて反射される。
　【００３１】
　なお、この実施例では前記緑色光反射ミラー２０を青色光反射用第１ミラー１７ａと背中合せに重ねて配置しているが、この緑色光反射ミラー２０と青色光反射用第１ミラー１７ａとは両面を反射面とした１枚のミラーとしてもよいし、またこの両ミラーを別にする場合はこれらを離して配置してもよい。また、この実施例では、前記各ミラー１７ａ，１７ｂ，１７ｃ，１８，１９，２０を、その反射面に反射コーティングを施した増反射ミラーとするか、あるいはダイクロイックミラーとしており、各ミラー１７ａ，１７ｂ，１７ｃ，１８，１９，２０を増反射ミラーとすれば、その光反射率を高くすることができる。
　【００３２】
　また、各ミラー１７ａ，１７ｂ，１７ｃ，１８，１９，２０をダイクロイックミラーとする場合は、各ミラーを、このミラーに入射する色光をその波長帯域を僅かに狭くして反射させ、残りの波長域の光を透過させるものとすればよく、このように各ミラーをダイクロイックミラーとすれば、各液晶パネル７Ｒ，７Ｇ，７Ｂに入射させる赤、緑、青の光をさらに原色に近くすることができる。なお、背中合せに配置される緑色光反射ミラー２０と青色光反射用第１ミラー１７ａとを共にダイクロイックミラーとする場合は、この両ミラー２０，１７ａの背面（両ミラー２０，１７ａを重ね合せる場合はミラー間）に、透過光を吸収する光吸収層を設ける必要がある。
　【００３３】
　また、前記緑色光反射ミラー２０と赤緑色光分離用ダイクロイックミラー１６ｂとは、緑色光反射ミラー２０で緑色画像表示用液晶パネル７Ｇに向けて反射される緑色光Ｇの光軸Ｏ３を前記光源光軸Ｏ０に一致させる位置関係で配置されており、さらに前記青色光反射用第２，第３ミラー１７ｂ，１７ｃおよび赤緑色光反射ミラー１８と赤緑色光分離用ダイクロイックミラー１６ｂと赤色光反射ミラー１９とは、青色光反射用第２ミラー１７ｂで反射された青色光Ｂの光軸Ｏ１と緑色光反射ミラー２０で反射される緑色光Ｇの光軸Ｏ３との間隔Ａ１と、赤緑色光分離用ダイクロイックミラー１６ｂを透過した赤色光Ｒの光軸Ｏ２と緑色光反射ミラー２０で反射される緑色光Ｇの光軸Ｏ３との間隔Ａ２とがＡ１＝Ａ２となるように、前記光源光軸Ｏ０から等距離の位置に配置されている。
　【００３４】
　また、前記赤色光反射ミラー１９と青色光反射用第３ミラー１７ｃとは、これらミラー１９，１７ｃで反射されかつ赤色画像表示用液晶パネル７Ｒおよび青色画像表示用液晶パネル７Ｂを透過して画像合成用ダイクロイックプリズム１１に入射する赤色光Ｒおよび青色光Ｂの光軸が、緑色光反射ミラー２０で反射されかつ緑色画像表示用液晶パネル７Ｇを透過して画像合成用ダイクロイックプリズム１１に入射する緑色光Ｇの光軸Ｏ３とダイクロイックプリズム１１の中心で一致するようにして配置されている。
　【００３５】
　そして、各液晶パネル７Ｒ，７Ｇ，７Ｂは、前述したようにダイクロイックプリズム１１の中心から同一距離をとって配置されており、また赤、緑、青の各色の光Ｒ，Ｇ，Ｂの光路は直角に折れ曲がる光路であるため、光源１２から赤色画像表示用液晶パネル７Ｒまでの赤色光Ｒの光路長と、光源１２から緑色画像表示用液晶パネル７Ｇまでの緑色光Ｇの光路長と、光源１２から青色画像表示用液晶パネル７Ｂまでの青色光Ｂの光路長とは全て等しくなっている。
　【００３６】
　このように光源１２から各液晶パネル７Ｒ，７Ｇ，７Ｂまでの光路長を等しくしているのは、各液晶パネル７Ｒ，７Ｇ，７Ｂに入射する赤、緑、青の光の強度を均等にするためである。
　【００３７】
　すなわち、光源１２からの光が完全な平行光であれば、各液晶パネル７Ｒ，７Ｇ，７Ｂに入射する赤、緑、青の光の強度はダイクロイックミラー１６ａおよび１６ｂで分離された時点の強度のままであるが、実際には、光源１２のリフレクタが放物面鏡リフレクタであっても、光源１２からの光は完全な平行光ではなくある程度は広がりながら進む光であるから、光源１２からの光路が長くなるほど光束が大きく広がることになる。
　【００３８】
　このため、光源１２から各液晶パネル７Ｒ，７Ｇ，７Ｂまでの光路長に差があると、光源１２からの光路長が短い緑色画像表示用液晶パネル７Ｇに入射する緑色光Ｇの光束の広がりに比べて、光源１２からの光路長が長い赤色画像表示用液晶パネル７Ｒと青色画像表示用液晶パネル７Ｂに入射する赤色光Ｒと青色光Ｇの光束の広がりが大きくなり、そのために、赤色画像表示用液晶パネル７Ｒと青色画像表示用液晶パネル７Ｂに入射する光の単位面積当りの照度が下がって、これが赤色画像表示用液晶パネル７Ｒおよび青色画像表示用液晶パネル７Ｂへの入射光の強度が低くなる。
　【００３９】
　そこでこの実施例では、上記のように光源１２から各液晶パネル７Ｒ，７Ｇ，７Ｂまでの光路長を等しくしたのであり、これらの光路長が等しければ、各液晶パネル７Ｒ，７Ｇ，７Ｂに入射する赤、緑、青の光の光束の広がりは全て等しくなるから、各液晶パネル７Ｒ，７Ｇ，７Ｂに等強度の光を入射させることができる。
　【００４０】
　また、上記ダイクロイックミラー１３ａ，１３ｂおよび光反射ミラー１７ａ，１７ｂ，１７ｃ，１８，１９，２０はいずれも偏光作用をもっているため、ダイクロイックミラー１３ａ，１３ｂに入射した光の透過率および反射率はその光の振動方向によって異なり、また光反射ミラー１７ａ，１７ｂ，１７ｃ，１８，１９，２０に入射した光の反射率もその光の振動方向によって異なる。
　【００４１】
　すなわち、ダイクロイックミラーを透過する光のうち、ダイクロイックミラー面に対して垂直でかつダイクロイックミラーの傾き方向に沿う面（図において紙面に沿う面）上において光軸と直交する方向に振動するＰ偏光成分の光はほとんど減衰することなく高い透過率で透過し、ダイクロイックミラーの傾き方向と直交する面（図において紙面に対して垂直な面）上において光軸と直交する方向に振動するＳ偏光成分はある程度の減衰を生じて透過するから、ダイクロイックミラーを透過した光は、Ｐ偏光成分が強い光となる。なお、１枚のダイクロイックミラーを透過した光のＰ偏光成分とＳ偏光成分の透過率の比は、ダイクロイックミラーの材質や入射光の波長等によって異なるが、一例をあげれば約１０：９である。
　【００４２】
　また、ダイクロイックミラーで反射される光は、透過光と逆に、Ｓ偏光成分の光は高い反射率で反射され、Ｐ偏光成分はある程度の減衰を生じるから、ダイクロイックミラーで反射された光は、Ｓ偏光成分が強い光となる（この場合のＳ偏光成分とＰ偏光成分の反射率の比も一例をあげれば約１０：９である）。
　【００４３】
　これは光反射ミラーによって反射される光においても同様であり、Ｓ偏光成分の光は高い反射率で反射されるのに対してＰ偏光成分はある程度の減衰を生じるから、ダイクロイックミラーほど顕著ではないが、光反射ミラーで反射された光もＳ偏光成分が強い光となる。
　【００４４】
　そして、上記実施例においては、各液晶パネル７Ｒ，７Ｇ，７Ｂへの光入射系を上記のような構成としているため、光源１２からの光のうち、赤色光Ｒが、青色光分離用ダイクロイックミラー１６ａおよび赤緑色光反射ミラー１８で反射、赤緑色光分離用ダイクロイックミラー１６ｂを透過、赤色光反射ミラー１９で反射されて赤色画像表示用液晶パネル７Ｒに入射し、緑色光Ｇが、青色光分離用ダイクロイックミラー１６ａ、赤緑色光反射ミラー１８、赤緑色光分離用ダイクロイックミラー１６ｂ、赤色光反射ミラー１９の全てで反射されて緑色画像表示用液晶パネル７Ｇに入射し、青色光Ｂが、青色光分離用ダイクロイックミラー１６ａを透過、３枚の青色光反射ミラー１７ａ，１７ｂ，１７ｃで反射されて青色画像表示用液晶パネル７Ｂに入射するから、各液晶パネル７Ｒ，７Ｇ，７Ｂに入射する光は全てＳ偏光成分の強い光となる。
　【００４５】
　すなわち、例えば青色光Ｂについて見ると、この青色光Ｂは、青色光分離用ダイクロイックミラー１６ａを透過して青色光Ｂに分離されたときにＳ偏光成分が減衰して図２に示すＰ方向のＰ偏光成分が強い光となるが、この青色光Ｂは、これ以後は３枚の青色光反射ミラー１７ａ，１７ｂ，１７ｃで反射されて青色画像表示用液晶パネル７Ｂに導かれるために、Ｓ偏光成分の減衰をほとんど生じることなく青色画像表示用液晶パネル７Ｂに入射する。
　【００４６】
　なお、この青色光ＢのＰ偏光成分は、青色光反射ミラー１７ａ，１７ｂ，１７ｃで反射される度に減衰するから、この青色光Ｂは、青色光反射用第１ミラー１７ａで反射されたときにＰ偏光成分が減衰してＳ偏光成分とＰ偏光成分とがほぼ等しい光となり、さらに青色光反射用第２ミラー１７ｂおよび第３ミラー１７ｃで反射されることによってＰ偏光成分を二重に減衰する。つまり、青色画像表示用液晶パネル７Ｂに入射する青色光Ｂは、１回の透過と３回の反射を経た光であり、したがってこの青色光Ｂは透過によるＳ偏光成分の減衰が１回だけの、Ｓ偏光成分の強い光である。
　【００４７】
　これは、赤色画像表示用液晶パネル７Ｒに入射する赤色光Ｒにおいても同じであり、この赤色光Ｒも、１回の透過と３回の反射を経た光であるから、この赤色光Ｒも透過によるＳ偏光成分の減衰が１回だけのＳ偏光成分の強い光である。また、緑色画像表示用液晶パネル７Ｇに入射する緑色光Ｇは、透過がなく、４回の反射を経た光であり、したがってこの緑色光ＧはＳ偏光成分の減衰ほとんどないＳ偏光成分の強い光である。
　【００４８】
　一方、前記各液晶パネル７Ｒ，７Ｇ，７Ｂは、それぞれ、その入射光偏光板８の偏光軸方向を、各液晶パネル７Ｒ，７Ｇ，７Ｂに入射する赤、緑、青の光のＳ偏光成分の振動方向に合せるとともに、内部の液晶を入射光偏光板８の偏光軸方向を基準としてほぼ９０度または２７０度ツイスト配向させた同一の液晶パネルとされており、その光出射面の画像形成用偏光板９は、その偏光軸方向を入射光偏光板８の偏光軸方向と平行にして設けられている。
　【００４９】
　すなわち、この各液晶パネル７Ｒ，７Ｇ，７Ｂは、これに入射する光のＳ偏光成分を入射光として使用するものであり、各液晶パネル７Ｒ，７Ｇ，７Ｂに入射する赤、緑、青の光は上述したようにＳ偏光成分の強い光であって、このＳ偏光成分の光が入射光偏光板８を透過して各液晶パネル７Ｒ，７Ｇ，７Ｂに入射するから、各液晶パネル７Ｒ，７Ｇ，７Ｂの全てに、高強度の光を入射させることができ、したがって各液晶パネル７Ｒ，７Ｇ，７Ｂを透過（出射）し、さらに画像形成用偏光板９を透過して画像光とされた赤、緑、青の光は、全て高輝度の光となる。なお、これら各色の画像光は、各液晶パネル７Ｒ，７Ｇ，７Ｂの画像形成用偏光板９の偏光軸方向が入射光偏光板８の偏光軸方向と平行であるために、Ｓ偏光成分の光のままである。
　【００５０】
　そして、各液晶パネル７Ｒ，７Ｇ，７Ｂおよび画像形成用偏光板９を透過した赤、緑、青の各画像光は、画像合成用ダイクロイックプリズム１１にそれぞれ入射し、このダイクロイックプリズム１１により赤、緑、青の三原色光ＲＧＢが重なった１つのフルカラー画像光に合成され、投影レンズ１０によって拡大投影される。
　【００５１】
　この場合、画像合成用ダイクロイックプリズム１１に入射する赤、緑、青の各画像光（Ｓ偏光成分の光）のうち、赤色画像光と青色画像光は、ダイクロイックプリズム１１で屈折されるため、ミラーによる光の反射と同様に光をほとんど減衰することなくダイクロイックプリズム１１を出射するのに対して、ダイクロイックプリズム１１を直進する緑色画像光は、上述したダイクロイックミラー１６ａ，１６ｂ，１６ｃを透過する場合の減衰と同様な減衰を生じるが、緑色画像表示用液晶パネル７Ｇに入射する緑色光Ｇは、前述したように透過がなく、４回の反射を経た光であって、赤色画像表示用液晶パネル７Ｒおよび青色画像表示用液晶パネル７Ｂに入射する赤色光Ｒおよび青色光Ｂよりも１回の透過分だけＳ偏光成分の強度が強い光であるから、ダイクロイックプリズム１１を出射した緑色画像光は、ダイクロイックプリズム１１での光減衰によって赤色画像光および青色画像光とほぼ等強度の光となる。したがってダイクロイックプリズム１１により合成されたフルカラー画像光は、赤、緑、青の光強度がほぼ等しい色バランスのよい画像光となる。
　【００５２】
　一方、前記投影ユニット４から投影レンズ１０によって投影されるフルカラー画像光をケース前面の透過型スクリーン２に向けて導く投影ミラー５，６は、それぞれ、前記投影レンズ１０を通ったフルカラー画像光（Ｓ偏光光）の振動方向に対して直交する方向に傾斜させて配置されている。
　【００５３】
　この投影ミラー５，６の傾斜方向を上記のようにしているのは、フルカラー画像光を効率よく反射させるためであり、上記投影ミラー５，６もその傾き方向に対して直交する方向に振動するＳ偏光成分の光を高い反射率で反射させるからであり、投影レンズ１０を通ったフルカラー画像光の赤、緑、青の光ＲＧＢが上記のように全てＳ偏光成分の光であり、かつ投影ミラー５，６が上記のように傾斜していれば、投影レンズ１０を通ったフルカラー画像光の赤、緑、青の光ＲＧＢの全てが光の減衰を生じることなく投影ミラー５，６によって反射されるから、スクリーン２に、投影レンズ１０を通ったフルカラー画像光をそのまま拡大した赤、緑、青の光の強度がほぼ等しい色バランスのよいフルカラー画像を投影することができる。
　【００５４】
　そして、この投影型液晶表示装置においては、光源１２からの光を赤、緑、青の光に分離して３枚の液晶パネル７Ｒ，７Ｇ，７Ｂに入射させる光入射系を、上記のような構成、つまり、前記赤、緑、青の光をそれぞれ同一方向の偏光成分が強い光として各液晶パネル７Ｒ，７Ｇ，７Ｂに入射させる構成としているため、各液晶パネル７Ｒ，７Ｇ，７Ｂを出射し、画像形成用偏光板９により画像光とされる赤、緑、青の光はいずれも同じ偏光状態の光であり、したがってスクリーン２の各部に対する光の入射角が異なっても、前記赤、緑、青の光がほぼ同じ強度の光として観察される。
　【００５５】
　すなわち、上記投影型液晶表示装置では、各液晶パネル７Ｒ，７Ｇ，７Ｂを出射し、画像形成用偏光板９により画像光とされた赤、緑、青の光が、投影レンズ１０により拡大されて光束を広げながらスクリーン２に投影されるため、この投影光は、スクリーン２の各部に対して異なる入射角で入射する。
　【００５６】
　一方、画像光を投影表示するためのスクリーンには、透過型のものと反射型のものとがあり、透過型スクリーンにおいては、このスクリーンに斜めに入射する光のうち、光の入射方向を基準として見たスクリーン面の傾き方向に振動するＰ偏光成分の光はほとんど減衰することなく高い透過率で透過するが、スクリーン面の傾き方向と直交する方向に振動するＳ偏光成分の光はある程度の減衰を生じて透過する。
　【００５７】
　また、反射型スクリーンにおいては、このスクリーンに斜めに入射する光のうち、光の入射方向を基準として見たスクリーン面の傾き方向と直交する方向に振動するＳ偏光成分の光はほとんど減衰することなく高い反射率で反射されるが、スクリーン面の傾き方向に振動するＰ偏光成分の光はある程度の減衰を生じて反射される。
　【００５８】
　そして、上記実施例では、スクリーン２を透過型スクリーンとしているため、このスクリーン面に対して斜めに入射する光の透過率はその光の偏光方向により異なるが、上記投影型液晶表示装置においては、各液晶パネル７Ｒ，７Ｇ，７Ｂを出射し、画像形成用偏光板９により画像光とされる赤、緑、青の光がいずれも同じ偏光状態の光であるため、これら赤、緑、青の光がほぼ同じ透過率でスクリーン２を透過するから、前記赤、緑、青の光がほぼ同じ強度の光として観察される。
　【００５９】
　したがって、上記投影型液晶表示装置によれば、１つの光源１２からの光を赤、緑、青の光に分離して３枚の液晶パネル７Ｒ，７Ｇ，７Ｂに入射させ、これら液晶パネル７Ｒ，７Ｇ，７Ｂを出射した赤、緑、青の光を投影レンズ１０により拡大してスクリーン２に投影してカラー画像を表示するものでありながら、スクリーン２に表示されるカラー画像を、赤、緑、青の光の強さをバランスさせた品質のよい画像とすることができる。
　【００６０】
　また、ケース前面の前記透過型スクリーン２の表面に形成されているレンチキュラーレンズ３は、スクリーン２にその背面側から投影されてスクリーン表面側に出射する画像光を拡散させてスクリーン投影画像の視野角を広げるためのもので、このスクリーン表面のレンチキュラーレンズ３は、図１および図３に示すように、前記投影ミラー５，６で反射されてスクリーン２に投影される画像光の振動方向と直交する方向（この実施例では垂直方向）にストライプ状の微小幅レンズ部３ａ，３ａを形成したものとされている。
　【００６１】
　このようにしているのは、レンチキュラーレンズ３の表面における画像光の反射を小さくするためであり、レンチキュラーレンズの各レンズ部３ａ，３ａの表面におけるスクリーン入射光の反射率は、スクリーン入射光がレンズ部３ａの幅方向（レンズ状表面の彎曲方向）に振動する光である場合に最も小さいから、レンチキュラーレンズ３のレンズ部３ａ，３ａを上記のように投影ミラー５，６で反射された画像光の振動方向と直交する方向に形成しておけば、投影ミラー５，６で反射された画像光つまりＳ偏光成分の光が、スクリーン表面のレンチキュラーレンズ３に対してはその各レンズ部３ａ，３ａの幅方向に振動する光として図３に示すようにスクリーン２に入射することになる。
　【００６２】
　そして、スクリーン２に入射するフルカラー画像光はその赤、緑、青の光ＲＧＢが全て同一方向の振動光（Ｓ偏光成分の光）であるために、この赤、緑、青の光ＲＧＢが全てレンチキュラーレンズ３での表面反射をほとんど生じることなくスクリーン表面側に透過するから、装置の前面側から観察されるフルカラー画像は色バランスがよくしかも高輝度の画像である。
　【００６３】
　なお、上記実施例では、各液晶パネル７Ｒ，７Ｇ，７Ｂへの光入射系を、ダイクロイックミラー１６ａ，１６ｂにより分離された各色の光のうち、赤色光Ｒと青色光Ｂとを３回の反射で赤および青色画像表示用液晶パネル７Ｒ，７Ｂに入射させ、緑色光Ｂを４回の反射で緑色画像表示用液晶パネル７Ｇに入射させる構成としたが、この光入射系は上記実施例の構成に限られるものではなく、要は、分離した赤、緑、青の光をそれぞれ同一方向の偏光成分が強い光として各液晶パネル７Ｒ，７Ｇ，７Ｂに入射させる構成であればよい。
　【００６４】
　また、上記実施例では、各液晶パネル７Ｒ，７Ｇ，７Ｂの光出射面にそれぞれ画像形成用偏光板９を設けているが、この画像形成用偏光板９は、各液晶パネル７Ｒ，７Ｇ，７Ｂを出射した赤、緑、青の光の全てが入射する位置、例えばダイクロイックプリズム１１の出射面に１枚だけ設けて、各液晶パネル７Ｒ，７Ｇ，７Ｂを透過した光を画像光とするのに共用してもよい。
　【００６５】
　図４および図５は、本発明の他の実施例を示す投影型液晶表示装置の縦断側面図およびその内部の投影ユニットの拡大図であり、この実施例の投影型液晶表示装置は、各液晶パネル７Ｒ，７Ｇ，７Ｂを出射した光を画像光にするための画像形成用偏光板９を、ダイクロイックプリズム１１の出射面に１枚だけ設けたものである。
　【００６６】
　なお、この実施例の投影型液晶表示装置は、画像形成用偏光板９の配置状態が異なるだけで、その他の構成は図１〜図３に示した実施例と同じであるから、重複する説明は図に同符号を付して省略する。
　【００６７】
　また、上記実施例では、画像形成用偏光板９の偏光軸を各液晶パネル７Ｒ，７Ｇ，７Ｂの入射光偏光板８の偏光軸とほぼ平行にしているが、この画像形成用偏光板９の偏光軸は、前記入射光偏光板８の偏光軸とほぼ直交させてもよい。
　【００６８】
　ただし、画像形成用偏光板９の偏光軸を入射光偏光板８の偏光軸とほぼ直交させると、入射光偏光板８を透過して各液晶パネル７Ｒ，７Ｇ，７Ｂに入射する光の振動方向と、画像形成用偏光板９を透過した画像光の振動方向とがほぼ９０度ずれるが、この場合でも、ダイクロイックミラー１６ａ，１６ｂにより分離された各色の光をそれぞれ同一方向の偏光成分が強い光として各液晶パネル７Ｒ，７Ｇ，７Ｂに入射させれば、上記実施例と同様に、スクリーン２に投影されるフルカラー画像を、赤、緑、青の各色の強さをバランスさせた品質のよい画像とすることができる。
　【００６９】
　さらに、上記実施例では、ダイクロイックプリズム１１を介して投影レンズ１０と対向する液晶パネルを緑色画像表示用液晶パネル７Ｇとし、ダイクロイックプリズム１１の両側に配置する液晶パネルを赤および青色画像表示用液晶パネル７Ｒ，７Ｂとしているが、これら各液晶パネル７Ｒ，７Ｇ，７Ｂの配置は上記実施例に限られるものではない。
　【００７０】
　【発明の効果】
　本発明の投影型液晶表示装置によれば、光源からの光を赤、緑、青の光に分離して３枚の液晶パネルに入射させる光入射系を、前記赤、緑、青の光をそれぞれ同一方向の偏光成分が強い光として各液晶パネルに入射させる構成としているため、１つの光源からの光を赤、緑、青の光に分離して３枚の液晶パネルに入射させ、これら液晶パネルを出射した赤、緑、青の光を投影レンズにより拡大してスクリーンに投影してカラー画像を表示するものでありながら、スクリーンに表示されるカラー画像を、赤、緑、青の光の強さをバランスさせた品質のよい画像とすることができる。
【図面の簡単な説明】
　【図１】
　本発明の一実施例を示す背面投影型液晶表示装置の縦断側面図。
　【図２】
　上記表示装置における投影ユニットの拡大図。
　【図３】
　図１のＩＩＩ−ＩＩＩ線に沿う拡大断面図。
　【図４】
　本発明の他の実施例を示す背面投影型液晶表示装置の縦断側面図。
　【図５】
　上記表示装置における投影ユニットの拡大図。
　【符号の説明】
　２…透過型スクリーン
　７Ｒ…赤色画像表示用液晶パネル
　７Ｇ…緑色画像表示用液晶パネル
　７Ｂ…青色画像表示用液晶パネル
　８…入射光偏光板
　９…画像形成用偏光板
　１０…投影レンズ
　１１…画像合成用ダイクロイックプリズム
　１２…光源
　１６ａ…青色光分離用ダイクロイックミラー
　１６ｂ…赤緑色光分離用ダイクロイックミラー
　１７ａ，１７ｂ，１７ｃ…青色光反射ミラー
　１８…赤緑色光反射ミラー
　１９…赤色光反射ミラー
　２０…緑色光反射ミラー